(57)【要約】【課題】  遊技場、景品交換所及び卸商社間において、景品の取り扱いによるお金の流れを明確にすることを可能とする景品交換システムを提供することを目的とする。【解決手段】  所定金額に対応し且つ獲得した出玉に応じて遊技客に与えられる景品（１００）を管理するための遊技場端末（２０、２１）と、遊技客が獲得した景品の前記所定金額、金額に応じた第１手数料及び所定金額から第１手数料を差し引いた金額とを管理するための景品交換所端末（３０、３１）と、景品交換所から購入した景品の所定金額、景品交換所から景品を購入する際の第２手数料及び遊技場に景品を販売する際の第３手数料とを管理するための卸商社端末（４０、４１）とを有することを特徴とする。【選択図】      図２
2005287889.tif 000002
【特許請求の範囲】
【請求項１】
景品交換システムにおいて、
所定金額に対応し、獲得した出玉に応じて遊技客に与えられる景品を管理するための遊技場端末と、
遊技客が獲得した前記景品の前記所定金額と、前記所定金額に応じた第１手数料と、前記所定金額から前記第１手数料を差し引いた払い戻し金額とを管理するための景品交換所端末と、
景品交換所から購入した前記景品の前記所定金額と、前記景品交換所から景品を購入する際の第２手数料と、遊技場に前記景品を販売する際の第３手数料とを管理するための卸商社端末とを有することを特徴とする景品交換システム。
【請求項２】
景品交換システムにおいて、
所定金額に対応し、獲得した出玉に応じて遊技客に与えられる景品を管理し、前記景品の景品データを読み取るための第１読取手段及び読み取った前記景品データを記憶するための第１記憶手段とを有する遊技場端末と、
遊技客が獲得した前記景品の前記所定金額と、前記所定金額に応じた第１手数料と、前記所定金額から前記第１手数料を差し引いた払い戻し金額とを管理し、前記景品の景品データを読み取るための第２読取手段及び予め定められた照合データを記憶するための第２記憶手段とを有する景品交換所端末と、
景品交換所から購入した前記景品の所定金額と、前記景品交換所から景品を購入する際の第２手数料と、遊技場に景品を販売する際の第３手数料とを管理し、前記景品の景品データを読み取るための第３読取手段及び読み取った前記景品データを記憶するための第３記憶手段とを有する卸商社端末とを有し、
前記景品交換所端末は、第２読取手段によって読み取られた前記景品データを、前記第１及び第３記憶手段に記憶される前記景品データと照合し、且つ前記第２記憶手段に記憶された前記照合データと照合することを特徴とする景品交換システム。
【発明の詳細な説明】
【技術分野】
【０００１】
本発明は、パチンコ店等の遊技場において遊技客に渡す景品の管理を正確に行うことができる景品交換システム関するものである。
【背景技術】
【０００２】
図１に従来の景品流通の概要を示す。図１において、遊技客１は、パチンコ店等の遊技場２において、獲得したパチンコ玉またはメダル等の出玉を所定の交換レートに従って、景品１０と交換する。遊技客１は、その後当該景品１０を景品交換所３に持参して、現金と等価交換する。勿論、遊技客１は、受け取った景品１０をそのまま自宅へ持ち帰り、利用又は使用する場合もある。景品交換所３は、遊技客１から等価交換で受け取った景品１０を卸商社４に販売し、景品代金及び手数料１を得る。卸商社４は、景品交換所４から仕入れた景品１０を遊技場に販売し、景品代金及び手数料２を得る。
【０００３】
図１に示すように、景品１０は、遊技場１、景品交換所３及び卸商社の３者間を巡回している。ここで、景品交換所３が受け取る手数料１は、卸商社４が遊技場２から受け取る手数料２から卸商社４の取り分を差し引いた金額となる。
【０００４】
なお、図１に示す従来の景品流通において、景品１０は、特定の商品であったり、ＩＣカードであったり、磁気カードであったりしていた（例えば、特許文献１参照）。
【０００５】
【特許文献１】特開平９−１０４１７号公報、第４頁
【発明の開示】
【発明が解決しようとする課題】
【０００６】
図１に示すような場合、景品交換所３及び卸商社４が受け取る手数料は、結局は遊技場２から支払われる手数料に基づいており、遊技場２にとって大きな負担となっていた。また、景品交換所３は、景品１０を等価交換する遊技客１から直接手数料を得ることができず、現状は手数料を遊技場２から間接的に得ているため、お金の流れが不透明であった。
【０００７】
また、景品１０として用いられるＩＣカードや磁気カードの偽造や変造が後を絶たず、景品交換所３が損害を被ることがあった。また、景品交換所３の係員による換金間違い等が発生する可能性もあった。
【０００８】
そこで、本発明は、遊技場、景品交換所及び卸商社間において、景品の取り扱いによるお金の流れを明確にすることを可能とする景品交換システムを提供することを目的とする。
【０００９】
また、本発明は、景品の偽造や変造を防止し、景品交換所の係員による換金間違いの発生を防止することを可能とする景品交換システムを提供することを目的とする。
【課題を解決するための手段】
【００１０】
上記課題を解決するために、本発明に係る景品交換システムは、所定金額に対応し且つ獲得した出玉に応じて遊技客に与えられる景品を管理するための遊技場端末と、遊技客が獲得した景品の前記所定金額、金額に応じた第１手数料及び所定金額から第１手数料を差し引いた金額とを管理するための景品交換所端末と、景品交換所から購入した景品の所定金額、景品交換所から景品を購入する際の第２手数料及び遊技場に景品を販売する際の第３手数料とを管理するための卸商社端末とを有することを特徴とする。
【００１１】
また、上記課題を解決するために、本発明に係る景品交換システムは、
所定金額に対応し且つ獲得した出玉に応じて遊技客に与えられる景品を管理し、景品の景品データを読み取るための第１読取手段及び読み取った前記景品データを記憶するための第１記憶手段とを有する遊技場端末と、
遊技客が獲得した景品の所定金額、所定金額に応じた第１手数料及び所定金額から第１手数料を差し引いた金額とを管理し、景品の景品データを読み取るための第２読取手段及び予め定められた照合データを記憶するための第２記憶手段とを有する景品交換所端末と、
景品交換所から購入した景品の所定金額、景品交換所から景品を購入する際の第２手数料及び遊技場に景品を販売する際の第３手数料とを管理し、景品の景品データを読み取るための第３読取手段及び読み取った景品データを記憶するための第３記憶手段とを有する卸商社端末とを有し、
景品交換所端末は、第２読取手段によって読み取られた景品データを、第１及び第３記憶手段に記憶される景品データと照合し、且つ第２記憶手段に記憶された照合データと照合することを特徴とする。
【発明の効果】
【００１２】
本発明に係わる景品交換システムでは、遊技客１によって景品交換所３に持ち込まれた（景品投入機３２に投入された）景品１００、景品交換所３で遊技客１に払い出された現金、及び差し引いた手数料１が、自動的に景品交換所端末３０又は３１で計算され且つ記憶される。したがって、景品交換所３は、正確に景品１００と現金とを交換すること及び遊技客１から手数料１を徴収することが可能となった。即ち、景品交換所３は、遊技客１から手数料１を徴収することによって独自に採算を取って経営していることが明確になり、遊技場２による景品の買い取り行為に全く関係していないことを明確にすることが可能となった。
【００１３】
また、本発明に係わる景品交換システムでは、偽造や変造、及び人の手を介することによる誤換金を防止することが可能となった。
【発明を実施するための最良の形態】
【００１４】
図２に本発明の第１の実施形態に係る景品交換システムの概略ブロック構成図を示す。
【００１５】
図２に示すように、景品交換システムは、遊技場端末２０、景品交換所端末３０及び卸商社端末４０から主に構成される。景品交換所端末３０は、景品投入機３２を有している。図２には、便宜上、遊技場端末２０、景品交換所端末３０及び卸商社端末４０が一つづつ示されているが、それぞれ複数の端末が複数の施設に配置されていても良い。
【００１６】
遊技場端末２０、景品交換所端末３０及び卸商社端末４０は、ＣＰＵ、ＲＡＭやＲＯＭ等を含む記録手段、キーボードやマウス等を含む操作手段、ディスプレイやプリンタ等の出力手段、及び各種入出力端子を有しており、予め記憶手段に記憶されたプログラムに従って、各種処理を実行する。
【００１７】
遊技場２は、卸商社４から購入し、遊技場端末２０を用いて管理されている景品１００を、遊技客１が獲得したパチンコ玉またはメダル等の出玉に応じた所定金額（例えば、１０００円又は５０００円）に対応する景品１００と交換する。遊技客１は、その後当該景品１００を景品交換所３に持参して、景品投入機３２に獲得した景品１００を投入し、景品代金（所定金額）から景品交換所の手数料１を差し引いた金額の現金を受け取る。景品交換所端末３０は、景品投入機３２での景品１００と現金との交換を管理する。勿論、遊技客１は、受け取った景品１００をそのまま自宅へ持ち帰り、利用又は使用する場合もある。即ち、景品１００は遊技場２付近にある景品交換所で交換されるためだけにあるのではなく、遊技場２の外部に持ち出された時点で、価値のある商品として取り扱われる。従って、景品１００は、金券ショップ等の商品取扱所で現金と交換されるものであっても良く、また景品交換所３を商品取扱所として適用しても良い。
【００１８】
景品交換所３は、遊技客１と交換した景品１００を卸商社４に販売し、景品代金（所定代金）から卸商社４の手数料２を差し引いた金額を受け取る。即ち、景品交換所３の儲けは、「手数料１−手数料２」となる。景品交換所端末３０は、さらに、卸商社４との間の景品１００の売買を管理することもできる。
【００１９】
卸商社４は、景品交換所３から購入した景品１００を遊技場２へ販売し、景品代金（所定金額）と卸商社４の手数料３を受け取る。即ち、卸商社４の儲けは、「手数料２＋手数料３」となる。卸商社端末４０は、景品交換所３及び遊技場２との間の景品１００の売買を管理することもできる。
【００２０】
なお、図２において、手数料２又は／及び手数料３は、それぞれゼロであってもマイナスの金額であっても良い。
【００２１】
図３に、景品投入機３２が配置された景品交換所３の一例を示す。景品投入機３２は、景品交換所３の遊技客１が見やすい場所に配置され、景品交換所３内には、現金を遊技客１に手渡す係員が常駐している。景品投入機３２は、表示部３３、投入口３４、返却口３５、交換ボタン３６及び返却ボタン３７等を有している。遊技客１が、獲得した景品１００を投入口３４から投入すると、投入した景品１００の景品代金から景品交換所３の手数料１を差し引いた金額が表示部３３に表示される。遊技客１が交換ボタン３６を押すと、景品交換所３内の係員に表示された金額の現金が払い出される。景品交換所３内の係員は、払い出された現金を払出窓口１３から遊技客１に手渡す。
【００２２】
表示部３３に表示された金額に不服がある等の場合に、遊技客１が返却ボタン３７を押すと、景品投入機３２に投入された景品１００が返却口３５に返却される。
【００２３】
また、景品投入機３２は、不正景品を判別するための判別手段を有しており、当該判別手段が投入された景品を不正な景品と判別した場合には、投入された景品は、返却口３５に返却される。
【００２４】
図４に、本景品交換システムで利用される景品１００の一例を示す。景品１００は、厚さ５ｍｍ、高さ５８ｍｍ、幅９０ｍｍのカード型をしており、景品代金（即ち所定金額、例えば１０００円又は５０００円）に応じた商品１０１、ＩＣチップとアンテナを内蔵し非接触によってＩＣチップ内に記憶されたデータを外部から読み出すことができるＩＣカード１０２を含んでいる。
【００２５】
商品１０１は、所定金額が１０００円の場合には、８ＭＢのＳＤメモリカードを使用し、所定金額が５０００円の場合には、６４ＭＢのＳＤメモリカードを使用することが好ましいが、それらに限定されるものではなく、他の長期保存可能な物品で置き換えることも可能である。
【００２６】
ＩＣカード１０２のＩＣチップには、景品１００を識別するためのＩＤデータ及び景品１００の景品代金を示す金額データが記憶されている。このＩＤデータを利用して、景品１００が不正な景品か否かの判別を行う。
【００２７】
図５に、第１の実施形態における景品交換所３における景品交換フローの一例を示す。
【００２８】
最初に、景品投入機３２（又は景品交換所端末３０）は、投入された景品１００に記憶されているＩＤデータを内蔵するリーダライタ等によって読み取る（ステップ５０１）。次に、景品交換機３２は、投入された景品１００に記憶されている金額データを内蔵するリーダライタ等によって読み取る（ステップ５０２）。
【００２９】
次に、景品投入機３２（又は景品交換所端末３０）は、読み取ったＩＤデータを予め記憶されているデータと照合し（ステップ５０３）、予め景品投入機３２（又は景品交換所端末３０）記憶されているデータと一致する場合には適正な景品と、一致しない場合には、不正な景品と判断する（ステップ５０４）。
【００３０】
ステップ５０４で適正な景品と判断された場合には、景品投入機３２（又は景品交換所端末３０）は、ステップ５０２で読み取った金額データ（１０００円又は５０００円）に応じた金額から景品交換所の手数料１（例えば、景品代金の１％）を計算する（ステップ５０５）。
【００３１】
次に、景品投入機３２（又は景品交換所端末３０）は、景品代金から手数料１を差し引いた金額を表示部３３に表示し、換金ボタン３６が押された場合に、該当する現金を景品交換所３の係員に払出す（ステップ５０６）。なお、投入された景品１００、払い出された現金及び手数料１は、景品投入機３２（又は景品交換所端末３０）に記憶される。
【００３２】
ステップ５０４で、不正な景品と判断された場合には、景品投入機３２（又は景品交換所端末３０）は、投入された景品は、返却口３５に返却される（ステップ５０７）。
【００３３】
図２に示すように、本実施形態では、遊技客１によって景品交換所３に持ち込まれた（景品投入機３２に投入された）景品１００、景品交換所３で遊技客１に払い出された現金、及び差し引いた手数料１が、自動的に景品投入機３２で計算され、景品投入機３２（又は景品交換所端末３０）に記憶される。したがって、景品交換所３は、正確に景品１００と現金とを交換すること及び遊技客１から手数料１を徴収することが可能となった。即ち、景品交換所３は、遊技客１から手数料１を徴収することによって独自に採算を取って経営していることが明確になり、遊技場２による景品買い取り行為に全く関係していないことを明確にすることができた。
【００３４】
また、同様に、卸商社４も、景品交換所３から景品１００を買い取って、遊技場２に景品１００を販売しているだけであって、景品１００の売買の仲介によって独自に採算を取って経営していることが明確になり、遊技場２による景品買い取り行為に全く関係していないことを明確にすることができた。
【００３５】
図６に、本発明の第２の実施形態に係る景品交換システムの概略ブロック構成図を示す。
【００３６】
図６に示すように、景品交換システムは、ＬＡＮ、インターネット等のネットワーク２００に接続された遊技場端末２１、景品交換所端末３１及び卸商社端末４１から主に構成される。遊技場端末２１は、景品１００のＩＤデータ及び金額データを読み取るためのリーダライタ２２を有している。景品交換所端末３１は、景品投入機３２を有している。卸商社端末４１は、景品１００のＩＤデータ及び金額データを読み取るためのリーダライタ４２を有している。図６には、便宜上、遊技場端末２１、景品交換所端末３１及び卸商社端末４１が一つづつ示されているが、それぞれ複数の端末が複数の施設に配置されていても良い。
【００３７】
遊技場端末２１、景品交換所端末３１及び卸商社端末４１は、ＣＰＵ、ＲＡＭやＲＯＭ等を含む記録手段、キーボードやマウス等を含む操作手段、ディスプレイやプリンタ等の出力手段、及び各種入出力端子を有しており、予め記憶手段に記憶されたプログラムに従って、各種処理を実行する。
【００３８】
図６で利用される景品１００は、第１の実施形態で利用される景品と同様であって、予めＩＤデータ及び金額データが記憶されているものとする。また、図６で利用される景品投入機３２は、第１の実施形態で利用される景品と同様である。
【００３９】
図６における景品１００及び各種手数料１〜３の流れは、図２の場合と同様であるが、図２との相違点は、各端末における景品１００の流れが、卸商社４を基点として、ネットワーク２００を介して景品交換所端末３１で確認できる点である。即ち、卸商社端末４１に接続されたリーダライタ４２でＩＤデータを読み取られた（卸商社端末４１にその読取データが記録される）景品１００が、遊技場に販売されて遊技場端末２１に接続されたリーダライタ２２にＩＤデータを読み取られた後（遊技場端末２１にその読取データが記録される）、初めて景品交換所３の景品投入機３２に投入されることとなる。したがって、卸商社端末４１及び遊技場端末２１に記録の存在しない景品１００は不正なものと判断できる。
【００４０】
図７に、第２の実施形態における景品交換所３における景品交換フローの一例を示す。
【００４１】
最初に、景品交換機３２（又は景品交換所端末３１）は、投入された景品１００に記憶されているＩＤデータを内蔵するリーダライタ等によって読み取る（ステップ７０１）。次に、景品交換機３２（又は景品交換所端末３１）は、投入された景品１００に記憶されている金額データを内蔵するリーダライタ等によって読み取る（ステップ７０２）。
【００４２】
次に、景品投入機３２（又は景品交換所端末３１）は、ステップ７０１で読み取ったＩＤデータを景品投入機３２（又は景品交換所端末３１）に予め記憶されているデータと照合する（ステップ７０３）。また、景品投入機３２（又は景品交換所端末３１）は、ステップ７０１で読み取ったＩＤデータが卸商社端末４１に記憶されているか否かの照合を行う（ステップ７０４）。さらに、景品投入機３２（又は景品交換所端末３１）は、ステップ７０１で読み取ったＩＤデータが遊技場端末２１に記憶されているか否かの照合を行う（ステップ７０５）。
【００４３】
次に、景品投入機３２（又は景品交換所端末３１）は、ステップ７０１で読み取ったＩＤデータが、景品投入機３２（又は景品交換所端末３１）に予め記憶されており、且つ卸商社端末４１及び遊技場端末２１に記憶されているデータと一致する場合には適正な景品と、一致しない場合には、不正な景品と判断する（ステップ７０６）。
【００４４】
ステップ７０６で適正な景品と判断された場合には、景品投入機３２（又は景品交換所端末３１）は、ステップ７０２で読み取った金額データ（１０００円又は５０００円）に応じた金額から景品交換所の手数料１（例えば、景品代金の１％）を計算する（ステップ７０７）。
【００４５】
次に、景品投入機３２（又は景品交換所端末３１）は、景品代金から手数料１を差し引いた金額を表示部３３に表示し、換金ボタン３６が押された場合に、該当する現金を景品交換所３の係員に払出す（ステップ７０８）。なお、投入された景品１００、払い出された現金及び手数料１は、景品交換所端末３０に送信されて記憶される。
【００４６】
ステップ７０６で、不正な景品と判断された場合には、投入された景品は、返却口３５に返却される（ステップ７０９）。
【００４７】
図６に示す第２の実施形態では、遊技客１によって景品交換所３に持ち込まれた（景品投入機３２に投入された）景品１００、景品交換所３で遊技客１に払い出された現金、及び差し引いた手数料１が、自動的に景品投入機３２（又は景品交換所端末３１）で計算され、記憶される。したがって、景品交換所３は、正確に景品１００と現金とを交換すること及び遊技客１から手数料１を徴収することが可能となった。即ち、景品交換所３は、遊技客１から手数料１を徴収することによって独自に採算を取って経営していることが明確になり、遊技場２による景品買い取り行為に全く関係していないことを明確にすることができた。
【００４８】
また、同様に、卸商社４も、景品交換所３から景品１００を買い取って、遊技場２に景品１００を販売しているだけであって、景品１００の売買の仲介によって独自に採算を取って経営していることが明確になり、遊技場２による景品買い取り行為に全く関係していないことを明確にすることができた。
【００４９】
さらに、図６に示す第２の実施形態では、景品交換所３で現金と交換する際には、交換する景品１００が、卸商社４及び遊技場２を経由してきたものか否かを判別するので、さらに変造や改造を行いにくいシステムとなっている。
【図面の簡単な説明】
【００５０】
【図１】従来の景品交換の流れを説明するための図である。
【図２】本発明に係る景品交換システムの概略を示す図である。
【図３】景品交換所の一例を示す図である。
【図４】本発明に利用される景品の一例を示す図である。
【図５】本発明に係る景品交換フローを示すフローチャートである。
【図６】本発明に係る他の景品交換システムの概略を示す図である。
【図７】本発明に係る他の景品交換フローを示すフローチャートである。
【符号の説明】
【００５１】
２０、２１…遊技場端末
３０、３１…遊技場端末
３２…景品投入機
４０、４１…卸商社端末
１００…景品
２００…ネットワーク
【図１】
2005287889.tif 000003
【図２】
2005287889.tif 000004
【図３】
2005287889.tif 000005
【図４】
2005287889.tif 000006
【図５】
2005287889.tif 000007
【図６】
2005287889.tif 000008
【図７】
2005287889.tif 000009